(57)【要約】【課題】  本発明は、任意の厚みを有する板材を框内に安定した状態で簡単に取付固定することが出来、かつ脱着固定部材を框に固定するために用いられた緊結部材を完全に隠蔽することが出来る意匠的にも美しい建具の開口部構造を目的とする。【解決手段】  建具１の框２に設けられた受部材３と、緊結部材５を介して框２に取付けられる脱着固定部材４と、該脱着固定部材４に被覆し得る化粧部材１２とよりなり、前記受部材３と緊結部材５を介して框２に取付けられた脱着固定部材４とで板材７の周辺縁を挟持し、かつ該脱着固定部材４に化粧部材１２を被覆して構成した建具１の開口部構造である。【選択図】    図２
2005097870.tif 000002
【特許請求の範囲】
【請求項１】
開口部にガラス等の板材を嵌め込んで固定する建具の開口部の構造に於いて、該建具の框に設けられた受部材と、緊結部材を介して框に取付けられる脱着固定部材と、該脱着固定部材に被覆し得る化粧部材とよりなり、前記受部材と緊結部材を介して框に取付けられた脱着固定部材とで板材の周辺縁を挟持しかつ該脱着固定部材に化粧部材を被覆して構成したことを特徴とした建具の開口部構造。
【請求項２】
前記化粧部材が框に固定された脱着固定部材に凹凸嵌合によって着脱自在に被覆されていることを特徴とした請求項１の建具の開口部構造。
【請求項３】
前記脱着固定部材に被覆された化粧部材の外周面が建具の框の外表面より内側に納められて構成されていることを特徴とした請求項１或は請求項２の建具の開口部構造。
【発明の詳細な説明】
【技術分野】
【０００１】
本発明は透明ガラス、ステンドグラス等のガラス、鏡、或は合板等の板材を建具の開口部に嵌め込んで固定する開口部構造に係り、特に、任意の厚みを有する板材を建具の框内に安定した状態で、極めて簡単な作業で取付固定することが出来、かつ脱着部材を框に固定するために用いられたビス、釘、ボルト等の緊結部材を完全に隠蔽することが出来、しかも全体をして意匠的に極めて体裁の良い建具の開口部構造に関するものである。
【背景技術】
【０００２】
従来、建具の開口部構造としては、極めて多くの技術が開発され実用化されている。比較的新しい技術としては、例えば、後述の特許文献１（図１）或は本件特許出願人が開発した特許文献２（図２，図３，図８）の技術が知られている。
【０００３】
前述の特許文献１に記載された技術は、アルミ押出成形によって形成されたサッシ枠を用いる構造であって、框と一体となった固定片に着脱片を着脱自在に取付け、これらの固定片と着脱片とによってガラス等の板材を挟持固定するガラス等の着脱が容易な建具に関する技術ある。
【０００４】
特許文献２の図２に記載された技術は、建具の框の開口面の上下に夫々固定部材をファスナーを介して配置し、これ等の固定部材でガラスを挟持し、さらにこれ等の固定部材の外側にファスナーによって化粧部材を被覆した構造である。
【０００５】
特許文献２の図３に記載された技術は、框の開口面の上下にＬ字状金属片よりなる固定部材をファスナーを介して配置し、該上下の固定部材でガラスを挟持し、さらにこれ等の固定部材の外側にファスナーを介して化粧部材を被覆固定した構造である。
【０００６】
特許文献２の図８に示す技術は、建具の框の開口面の上下に夫々ガラスを挟持し得る面縁を配置し、一方の面縁は接着剤を介して框に固定し、かつ他方の面縁はタッカーを打ち込むことによって框に固定しながらガラスを押圧するように構成した技術である。
【０００７】
【特許文献１】特開昭10-184208号公報（図１）
【特許文献２】特開2003-201791号公報（図１，図３，図８）
【発明の開示】
【発明が解決しようとする課題】
【０００８】
しかしながら、前述の特許文献１に記載された技術では、固定片に着脱自在に取付けられた着脱片が、嵌め込む部分とガラスを押える部分が離隔していると共に、該押える部分がガラス面から浮いているので、テコの原理で押すだけで、簡単に傾いて外れてしまう構造になっている。従がって、開口時の衝撃や子供等のいたずら等で着脱片が外れてガラスが落下する可能性があり、危険である問題があった。
【０００９】
また、この技術はサッシ枠のみに限定されるので、一般の木製或はプラスチック等の建具には使用出来ない問題もあった。かつ、単に固定片と着脱片のパッキンのみでガラスを支持しており、強い締め付けがないので、ガラスの取付けが不安定であった。さらに、該パッキンが固化し易いので、ガラスの押えにゆるみが生じ、数年後には取替えなければならない問題や、この構造では、サッシ枠に取付けられるガラスの板厚が特定されてしまうので、厚みの異なるガラスを用いることが出来ない等の問題もあった。
【００１０】
特許文献２の図２及び図３に示す技術は、上下の固定部材がファスナーを介して框の開口面に取付けられているので、不安定であると共に、これ等の固定部材ではガラスを充分に強く挟持することが困難であり、かつ固定部材の外側に被覆した化粧部材のスカート部が框の外表面にかぶる構造になっているので、厚さの異なる任意のガラスを用いることが困難である問題があった。特に、ガラスを所定の厚み以上のものを用いた場合、或は化粧部材を固定するファスナーの押し付け強度が弱い場合には、化粧部材のスカート部と框の外表面との間に隙間が形成されて、見苦しくなり体裁が悪くなる問題があった。
【００１１】
特許文献２の図８に記載された技術は、一方の面縁をタッカーを介して框の開口部に取付けるので、タッカーの頭部が面縁の表面に現われて見苦しくなる問題があった。面縁の表面に露出するタッカーの頭部には、一般的に塗料が塗着されるが、数年の間に塗料が剥離したり、或は木目模様等が設けられた面縁に於いては、周りとの関係でタッカーの頭部に面縁と調和する塗料を塗着することが困難である問題があった。さらに、この面縁に於いても、その上縁に設けられたスカート部が框の外表面に被覆されているので、厚さの異なる任意のガラスを用いることも困難である等の問題もあった。
【００１２】
本発明に係る建具の開口部構造は、前述の多くの問題点に鑑み開発された全く新しい技術であって、特に、厚さの異なる任意のガラス等の板材を用いることが出来る構造、即ち板材の厚みを吸収出来る納まり構造の実現を可能とし、かつ板材を強く挟持しながら安定した状態で框に取付け固定することが出来、さらに板材を挟持する脱着固定部材部材の外面に化粧部材を簡単に被覆することによって、ビス等の緊結部材が外部に露出することを防止して、意匠的に好ましい納まりに出来る技術を提供するものである。
【課題を解決するための手段】
【００１３】
本発明に係る建具の開口部構造は、前述の従来の問題点を根本的に改善した技術であって、その基本的発明の要旨は、開口部にガラス等の板材を嵌め込んで固定する建具の開口部の構造に於いて、該建具の框に設けられた受部材と、緊結部材を介して框に取付けられる脱着固定部材と、該脱着固定部材に被覆し得る化粧部材とよりなり、前記受部材と緊結部材を介して框に取付けられた脱着固定部材とで板材の周辺縁を挟持しかつ該脱着固定部材に化粧部材を被覆して構成したことを特徴とした建具の開口部構造である。
【００１４】
前述の本発明に於いては、建具の框に受部材を設けると共に該框に脱着固定部材を着脱自在に設けたので、開口部に配置される板材をこれ等の受部材と脱着固定部材とで挟持して安定した状態で框に固定することが出来る。また、脱着固定部材は緊結部材を介して框に固定されるので、脱着固定部材で板材を強く確実に押えることが出来、しかも脱着固定部材の押圧が長期間の間にゆるむことがない。そのために、前述の従来の技術の如く、板材がいたずらや或は開閉時の衝撃で外れる心配がない。
【００１５】
さらに、該脱着固定部材には化粧部材が被覆されているので、脱着固定部材の固定に用いられた緊結部材の頭部等をこの化粧部材で完全に隠蔽することが出来る。したがって、従来の如く、緊結部材が外方に露出して外観を悪くして商品価値を下げたりする心配がない。また、従来の如く、緊結部材の頭部に塗料を塗着する作業も不要にすることが出来る。前記化粧部材は框と同一材料、同一模様のものを使用することが出来る。
【００１６】
本発明に係る第２発明は、前述の建具の開口部構造の基本発明の一部の構成をさらに具体化した技術であって、特に、框に固定された脱着固定部材に化粧部材を被覆するに当って、両者を凹凸嵌合し得る構造にしたものである。
【００１７】
従がって、第２発明に於いては、脱着固定部材に化粧部材を凹凸嵌合させるようにしたので、その化粧部材の着脱が極めて容易である。
【００１８】
本発明に係る第３発明も、前述の建具の開口部構造の基本発明の一部の構成をさらに具体化した技術であって、特に、前述のように脱着固定部材に被覆された化粧部材の外周面が框の外表面より内側に納められるように構成した構造である。
【００１９】
前述の第３発明のように、化粧部材の外周面が框の外表面より内側に納められるように構成した場合には、肉厚の板材を脱着固定部材で挟持した後で、脱着固定部材に化粧部材を被覆した場合にも、化粧部材が框の外表面よりはみ出して突出することがなく、常に化粧部材を建具表面から奥まった位置に配置させることが出来、建具の外観を美しくすることが出来る。また、化粧部材には、前述の従来技術のように、框の外表面に被覆されるスカート部がないので、肉厚の板材を取付けた場合にも、框の外表面とスカート部との間に隙間が形成される心配もない。
【発明の効果】
【００２０】
前述の本発明に係る建具の開口部構造の基本発明に於いては、前述のような構成と作用とを有するので、建具に取付けられる板材の厚みが自由に調整することが出来、板材の選択肢を広げることが出来る。従がって、専用の板材を在庫しておく必要がなく、在庫する任意の板材を使用することが出来る効果を有している。
【００２１】
脱着固定部材を固定した緊結部材は最終的に化粧部材によって隠蔽されるので、従来の如く緊結部材の頭部を脱着固定部材の表面に無理にめり込ませたり、或は緊結部材の頭部の高さを揃える必要がなく、作業が容易である。また、緊結部材を無理に締め付ける必要がないので、その頭部を損傷することがなく、かつ緊結部材の抜き取り及び脱着固定部材の着脱を容易にすることが出来る等の効果を有している。
【００２２】
前述の第２発明に於いては、化粧部材が脱着固定部材に凹凸嵌合されているので、着脱が容易であり、かつ化粧部材には板材の荷重がかからないので、化粧部材が脱着固定部材から簡単に外れる恐れがない。仮に外れても、板材には影響しないので危険がない等の効果を有している。
【００２３】
前述の第３発明に於いては、化粧部材の外周面が框の外表面より内側になるように納められているので、化粧部材に若干の波打ちや浮き上がりが生じていても、外から見た場合に目立たず、見苦しくない等の効果を有している。
【発明を実施するための最良の形態】
【００２４】
図により本発明に係る建具の開口部構造の一実施例を具体的に説明すると、図１は本発明に係る開口部構造の要部の断面図、図２は図１の部品説明図、図３は図１の要部の拡大説明図、図４は本発明の他例の説明図である。
【００２５】
図１乃至図３に於いて、１は本発明に係る建具の開口部であって、框２の開口面下部には、受部材３が棚状に開口部の中心部に向って框２と一体的に突設されている。この受部材３は框２と別体で形成し、框２の開口面に貼着固定することも可能である。
【００２６】
４は脱着固定部材であって、ボルト，ビス，釘等の緊結部材５を介して框２の開口面に、かつ前記受部材３に対応する位置に固定し得るように構成されている。この脱着固定部材４の形状については特に限定する必要がないが、その下面にはパッキン材６が着脱自在に取付けられるように形成されており、脱着固定部材４に取付けられた該パッキン材６と前記受部材３とでガラス板等の板材７を両側から挟持固定し得るように構成されている。
【００２７】
前記脱着固定部材４の下面の先端部には、後述の化粧部材の凸部が嵌入係止し得る凹部８が設けられている。また、脱着固定部材４の框２の開口面に隣接する上部には、化粧部材の脚片が挿入される切欠部９が設けられている。この切欠部９の起立面にも化粧部材の凸部が嵌入係止し得る凹部１０と化粧部材の凹部に嵌入係止し得る凸部１１とが夫々下方から上方に向かって並列して設けられている。
【００２８】
１２は前記脱着固定部材４の外側に被覆し得る化粧部材部材であって、その形状は脱着固定部材４に被覆して固定し得る形状であれば特に限定されるものではない。化粧部材１２の下端部には、前記脱着固定部材４の凹部８に嵌入係止し得る凸部１３が突設されている。また、化粧部材１２の框２の開口面側上部には、前記脱着固定部材４の切欠部９に挿入し得る脚片１４が上端部より吊下げられている。この脚片１４の側面には、前記脱着固定部材４の切欠部９に設けた凹部１０或は凸部１１に夫々係合し得る凸部１５及び凹部１６が夫々下方から上方に向かって並列して設けられている。
【００２９】
前述の構造を有する脱着固定部材４を用いて、板材７を框２に取付けるに当っては、板材７の周辺縁を受部材３上に当接し、脱着固定部材４を框２の開口面に沿って移動して、パッキン材６を板材７の表面に当接し、さらに該パッキン材６を介して板材７を受部材３側に締め付け、最後に脱着固定部材４を緊結部材５を介して框２に固定することによって、板材７を受部材３とパッキン材６（脱着固定部材４）で締め付け、これによって板材７を框２に安定した状態で取付固定することが出来る。
【００３０】
次に、脱着固定部材４に化粧部材１２を被覆するに当っては、特に図３に示す如く、その脚片１４を脱着固定部材４の切欠部９と框２の開口面とによって形成される凹所に挿入しながら、両者の凹部１０，１６と凸部１５，１１とを夫々相互に噛合して係合させ、その後で化粧部材１２を脱着固定部材４に完全に被覆し、化粧部材１２の凸部１３を脱着固定部材４の凹部８に嵌入係止することによって、化粧部材１２を脱着固定部材４に安定した状態で取付固定することが出来る。
【００３１】
前述の実施例に於いて、化粧部材１２を脱着固定部材４に嵌め込む場合には、図４に示す如く、框２に開口面の中央部側に脱着固定部材４を部分的に固定しておき、一方では４個の化粧部材１２を額物状に組合せると共に、これ等の化粧部材１２が接触される額縁１８のコーナー部の裏面側に於いて、粘着テープ等の裏打材１７を貼着して額縁１８を完全に組立て、このように形成された額縁１８を框２の開口部の内側から脱着固定部材４に向かって押込むことによって、化粧部材１２より構成された額縁１８で脱着固定部材４を被覆しながら框２の開口部に取付けることが出来る。このように構成した場合には、額縁１８のコーナー部に取付けられた裏打材１７が脱着固定部材４に接触することがなく、しかも額縁１８のコーナー部に隙間が生ずることを防止出来る。
【図面の簡単な説明】
【００３２】
【図１】本発明に係る建具の開口部構造の要部の断面図である。
【図２】図１の部品説明図である。
【図３】図１の要部の拡大説明図である。
【図４】本発明の他例の説明図である。
【符号の説明】
【００３３】
１・・・建具の開口部
２・・・框
３・・・受部材
４・・・脱着固定部材
５・・・緊結部材
６・・・パッキン材
７・・・板材
８・・・凹部
９・・・切欠部
１０・・・凹部
１１・・・凸部
１２・・・化粧部材
１３・・・凸部
１４・・・脚片
１５・・・凸部
１６・・・凹部
１７・・・裏打材
１８・・・額縁
【図１】
2005097870.tif 000003
【図２】
2005097870.tif 000004
【図３】
2005097870.tif 000005
【図４】
2005097870.tif 000006